(57)【要約】【課題】基板の周縁部の所定範囲を精度良く良好に処理できるようにすること。【解決手段】本発明では、基板（ウエハＷ）の周縁部に対してエッチング又は洗浄などの処理を行う基板処理装置(1)において、基板(W)の周縁部を処理するための周縁処理装置(4)と、周縁処理装置(4)に対して相対的に回転する基板(W)を保持するための基板保持装置(3)とを有し、周縁処理装置(4)は、基板(W)の周縁部に処理液を供給する処理液供給部(9)と、基板(W)に向けてガスを噴出するガス噴出部(10)とを有し、貯留した処理液に基板(W)を浸漬させるための処理液貯留室(11)を前記処理液供給部(9)に回転方向に沿って伸延させた状態で形成するとともに、この処理液貯留室(11)よりも基板(W)の周縁部に対して内側に前記ガス噴出部(10)を隣設した。【選択図】図３
2008300453.tif 000002
【特許請求の範囲】
【請求項１】
基板の周縁部に対してエッチング又は洗浄などの処理を行う基板処理装置において、
基板の周縁部を処理するための周縁処理装置と、周縁処理装置に対して相対的に回転する基板を保持するための基板保持装置とを有し、
周縁処理装置は、基板の周縁部に処理液を供給する処理液供給部と、基板に向けてガスを噴出するガス噴出部とを有し、貯留した処理液に基板を浸漬させるための処理液貯留室を前記処理液供給部に回転方向に沿って伸延させた状態で形成するとともに、この処理液貯留室よりも基板の周縁部に対して内側に前記ガス噴出部を隣設したことを特徴とする基板処理装置。
【請求項２】
前記周縁処理装置は、処理液貯留室を基板の周縁部に沿って円弧状に形成したことを特徴とする請求項１に記載の基板処理装置。
【請求項３】
前記周縁処理装置は、処理液貯留室の回転方向上流側に処理液を供給する処理液供給口を形成するとともに、処理液貯留室の回転方向下流側に処理液を排出する処理液排出口を形成したことを特徴とする請求項１又は請求項２に記載の基板処理装置。
【請求項４】
前記周縁処理装置は、前記処理液供給部に処理液を供給する処理液供給口と前記処理液供給部から処理液を排出する処理液排出口とを前記基板を挟んで反対側にそれぞれ形成したことを特徴とする請求項１〜請求項３のいずれかに記載の基板処理装置。
【請求項５】
前記周縁処理装置は、前記処理液供給部に処理液を供給する処理液供給口を前記基板の端部よりも外側に形成したことを特徴とする請求項１〜請求項４のいずれかに記載の基板処理装置。
【請求項６】
前記周縁処理装置は、前記処理液供給部から処理液を排出する処理液排出口を前記基板の端部よりも内側に形成したことを特徴とする請求項１〜請求項５のいずれかに記載の基板処理装置。
【請求項７】
前記周縁処理装置は、前記処理液供給部にリンス液を供給可能に構成したことを特徴とする請求項１〜請求項６のいずれかに記載の基板処理装置。
【請求項８】
前記周縁処理装置は、前記ガス噴出部で噴出したガスを吸引可能に構成したことを特徴とする請求項１〜請求項７のいずれかに記載の基板処理装置。
【請求項９】
前記周縁処理装置は、前記ガス噴出部を前記基板を挟んで反対側にそれぞれ形成したことを特徴とする請求項１〜請求項８のいずれかに記載の基板処理装置。
【請求項１０】
前記周縁処理装置は、前記基板の周縁部に対して内側に向けて相対的に移動可能に構成したことを特徴とする請求項１〜請求項９のいずれかに記載の基板処理装置。
【請求項１１】
基板の周縁部に対してエッチング又は洗浄などの処理を行う基板処理方法において、
基板の周縁部に配設した周縁処理装置を基板に対して相対的に回転させ、周縁処理装置に形成した処理液供給部から基板の周縁部に処理液を供給するとともに、前記処理液供給部よりも基板の内側に隣設したガス噴出部から基板に向けてガスを噴出し、処理液供給部に回転方向に沿って伸延させた状態で形成した処理液を貯留するための処理液貯留室に基板を浸漬させて基板の周縁部の処理を行うことを特徴とする基板処理方法。
【請求項１２】
前記処理液貯留室の回転方向上流側から処理液を供給するとともに、前記処理液貯留室の回転方向下流側から処理液を排出することを特徴とする請求項１１に記載の基板処理方法。
【発明の詳細な説明】
【技術分野】
【０００１】
本発明は、基板の周縁部に対してエッチング又は洗浄などの処理を行うための基板処理装置及び基板処理方法に関するものである。
【背景技術】
【０００２】
半導体ウエハや液晶基板などの製造工程においては、基板に積層形成した各種膜の周縁部の剥離を防止するとともに基板と膜との密着性を向上させるために、基板の周縁部の膜をエッチング液で除去するエッチング処理を行っている。また、基板の周縁部に付着したパーティクルによって基板が汚染されてしまうのを防止するために、基板の周縁部のパーティクルを洗浄液で除去する洗浄処理を行っている。
【０００３】
これら基板の周縁部に対してエッチングや洗浄などの各種の処理を行うために、従来より、基板処理装置が用いられている。この従来の基板処理装置は、基板の周縁部上方にエッチング液や洗浄液などの処理液を供給するノズルを配設し、回転機構で基板を回転させながらノズルから処理液を基板の周縁部に向けて供給して、処理液で基板の周縁部を処理するように構成している（たとえば、特許文献１参照。）。
【０００４】
【特許文献１】特開２００３−２０３９００号公報
【発明の開示】
【発明が解決しようとする課題】
【０００５】
ところが、上記従来の基板処理装置では、基板の周縁部上方に配置したノズルから処理液を基板の周縁部に向けて供給していたために、ノズルから供給された処理液が基板の周縁部よりも内側にまで流れ出てしまうことがあり、エッチングや洗浄などの処理を行う必要のない範囲まで処理されて、基板の処理不良が発生するおそれがあった。
【課題を解決するための手段】
【０００６】
そこで、請求項１に係る本発明では、基板の周縁部に対してエッチング又は洗浄などの処理を行う基板処理装置において、基板の周縁部を処理するための周縁処理装置と、周縁処理装置に対して相対的に回転する基板を保持するための基板保持装置とを有し、周縁処理装置は、基板の周縁部に処理液を供給する処理液供給部と、基板に向けてガスを噴出するガス噴出部とを有し、貯留した処理液に基板を浸漬させるための処理液貯留室を前記処理液供給部に回転方向に沿って伸延させた状態で形成するとともに、この処理液貯留室よりも基板の周縁部に対して内側に前記ガス噴出部を隣設することにした。
【０００７】
また、請求項２に係る本発明では、前記請求項１に係る本発明において、前記周縁処理装置は、処理液貯留室を基板の周縁部に沿って円弧状に形成することにした。
【０００８】
また、請求項３に係る本発明では、前記請求項１又は請求項２に係る本発明において、前記周縁処理装置は、処理液貯留室の回転方向上流側に処理液を供給する処理液供給口を形成するとともに、処理液貯留室の回転方向下流側に処理液を排出する処理液排出口を形成することにした。
【０００９】
また、請求項４に係る本発明では、前記請求項１〜請求項３のいずれかに係る本発明において、前記周縁処理装置は、前記処理液供給部に処理液を供給する処理液供給口と前記処理液供給部から処理液を排出する処理液排出口とを前記基板を挟んで反対側にそれぞれ形成することにした。
【００１０】
また、請求項５に係る本発明では、前記請求項１〜請求項４のいずれかに係る本発明において、前記周縁処理装置は、前記処理液供給部に処理液を供給する処理液供給口を前記基板の端部よりも外側に形成することにした。
【００１１】
また、請求項６に係る本発明では、前記請求項１〜請求項５のいずれかに係る本発明において、前記周縁処理装置は、前記処理液供給部から処理液を排出する処理液排出口を前記基板の端部よりも内側に形成することにした。
【００１２】
また、請求項７に係る本発明では、前記請求項１〜請求項６のいずれかに係る本発明において、前記周縁処理装置は、前記処理液供給部にリンス液を供給可能に構成することにした。
【００１３】
また、請求項８に係る本発明では、前記請求項１〜請求項７のいずれかに係る本発明において、前記周縁処理装置は、前記処理液供給部に乾燥ガスを供給可能に構成することにした。
【００１４】
また、請求項９に係る本発明では、前記請求項１〜請求項８のいずれかに係る本発明において、前記周縁処理装置は、前記ガス噴出部を前記基板を挟んで反対側にそれぞれ形成することにした。
【００１５】
また、請求項１０に係る本発明では、前記請求項１〜請求項９のいずれかに係る本発明において、前記周縁処理装置は、前記基板の周縁部に対して内側に向けて相対的に移動可能に構成することにした。
【００１６】
また、請求項１１に係る本発明では、基板の周縁部に対してエッチング又は洗浄などの処理を行う基板処理方法において、基板の周縁部に配設した周縁処理装置を基板に対して相対的に回転させ、周縁処理装置に形成した処理液供給部から基板の周縁部に処理液を供給するとともに、前記処理液供給部よりも基板の内側に隣設したガス噴出部から基板に向けてガスを噴出し、処理液供給部に回転方向に沿って伸延させた状態で形成した処理液を貯留するための処理液貯留室に基板を浸漬させて基板の周縁部の処理を行うことにした。
【００１７】
また、請求項１２に係る本発明では、前記請求項１１に係る本発明において、前記処理液貯留室の回転方向上流側から処理液を供給するとともに、前記処理液貯留室の回転方向下流側から処理液を排出することにした。
【発明の効果】
【００１８】
そして、本発明では、以下に記載する効果を奏する。
【００１９】
すなわち、本発明では、基板の周縁部に周縁処理装置を配設し、周縁処理装置は、基板の周縁部に処理液を供給する処理液供給部と、基板に向けてガスを噴出するガス噴出部とを有し、貯留した処理液に基板を浸漬させるための処理液貯留室を処理液供給部に回転方向に沿って伸延させた状態で形成するとともに、この処理液貯留室よりも基板の周縁部に対して内側にガス噴出部を隣設しているために、ガス噴出部から噴出するガスによって、基板の反りを矯正して基板の周縁部近傍を平坦に位置精度良く保持することができ、これによって、基板の周縁部の所定範囲を精度良く処理することができ、しかも、処理液を貯留し基板を浸漬させる処理液貯留室を回転方向に沿って形成しているために、処理液による基板の周縁部の処理を良好に行わせることができる。
【発明を実施するための最良の形態】
【００２０】
以下に、本発明に係る基板処理装置の具体的な構成について図面を参照しながら説明する。
【００２１】
図１及び図２に示すように、基板処理装置１は、ケーシング２の内部に基板（ここでは、半導体ウエハ（以下、「ウエハＷ」という。））をターンテーブルＴで吸引保持しながらモーターＭで回転させる基板保持装置３を収容するとともに、この基板保持装置３で保持したウエハＷの周縁部に周縁処理装置４を配設している。なお、以下の基板処理装置１では、周縁処理装置４を固定する一方、基板保持装置３でウエハＷを回転するように構成しているが、本発明では周縁処理装置４がウエハＷに対して相対的に回転できる構造となっていればよく、ウエハＷを固定し、周縁処理装置４を回転可能に構成してもよい。
【００２２】
周縁処理装置４は、進退機構５の先端部に処理ヘッド６を取付けており、進退機構５によって処理ヘッド６を全体的にウエハＷの半径方向へ前進又は後退させることができるようになっている。なお、以下の基板処理装置１では、進退機構５によって処理ヘッド６を進退移動可能に構成しているが、本発明では、周縁処理装置４がウエハＷに対して相対的に進退移動できる構造となっていればよく、ウエハＷを処理ヘッド６に向けて進退移動可能に構成してもよい。
【００２３】
この処理ヘッド６は、図３及び図４に示すように、矩形箱型状のケーシング７の先端部（前端部）にウエハＷの厚みよりも広い上下幅のスリット８をウエハＷと平行に水平状に形成しており、ウエハＷとの間にわずかな間隙（ここでは、約50μm。）を形成した状態でスリット８にウエハＷを挿通させることができ、しかも、その状態で基板保持装置３によってウエハＷを回転させることができ、また、進退機構５によって処理ヘッド６を進退させることができるようになっている。
【００２４】
また、処理ヘッド６には、ウエハＷの周縁部に洗浄液やエッチング液などの処理液を供給するための処理液供給部９とウエハＷに向けて空気や不活性ガスなどのガスを噴出するためのガス噴出部10とを隣り合わせた状態で設けており、処理ヘッド６の中央部に処理液供給部９を形成するとともに、処理液供給部９よりもウエハＷの周縁部に対して内側にガス噴出部10を形成している。ここで、処理液供給部９及びガス噴出部10は、それぞれ所定の上下幅を有してウエハＷを挿通可能な形状に形成しており、ガス噴出部10のウエハＷと対向する上下幅を処理液供給部９のウエハＷと対向する上下幅よりも狭くして、処理液供給部９からガス噴出部10に処理液が流れ込むのを防止し、また、処理液供給部９の表面を親水性素材でコーティングする一方、ガス噴出部10の表面を撥水性素材でコーティングし、これによっても、処理液供給部９から処理液がガス噴出部10に流れ出るのを阻害している。
【００２５】
処理液供給部９は、処理ヘッド６の平面視中央部にウエハＷと処理ヘッド６との相対的な回転方向（ここでは、ウエハＷの回転方向）に沿って伸延させるとともにスリット８（ガス噴出部10）に連通させた形状の処理液貯留室11を形成している。この処理液貯留室11は、ウエハＷの中心からウエハＷの周縁部と同一半径の円弧形状に形成することで、ウエハＷの周縁部に沿って円弧状に形成している。この処理液貯留室11は、上下幅をスリット８よりも広い上下幅に形成し、ウエハＷと処理ヘッド６との相対的な回転方向（ここでは、ウエハＷの回転方向）に沿って処理液貯留室11の上流側上部に処理液供給口12を形成するとともに、処理液貯留室11の下流側下部に処理液排出口13を形成している。ここで、処理液供給口12は、ウエハＷの端部よりも外側に形成して、ウエハＷの表面に処理液が直接供給されないようにし、また、処理液排出口13は、ウエハＷの端部よりも内側に形成して、ウエハＷの周縁部に処理液が円滑に流動するようにしている。なお、処理液供給口12と処理液排出口13は、ウエハＷを挟んで反対側にそれぞれ形成したものに限られない。すなわち、処理液供給口12は、処理液貯留室11に連通して形成していればよく、処理液貯留室11の上部に形成した場合に限られず、処理液貯留室11の下部に形成してもよい。また、処理液排出口13も、処理液貯留室11に連通していればよく、処理液貯留室11の下部に形成した場合に限られず、処理液貯留室11の上部に形成してもよい。
【００２６】
また、処理液供給部９は、処理液供給口12に処理液供給源14とリンス液供給源15と乾燥ガス供給源16とを切替バルブ17を介して連通連結する一方、処理液排出口13に吸引機18を連通連結している。なお、リンス液供給源15や乾燥ガス供給源16からのリンス液や乾燥ガスを供給するための供給口を処理液供給口12とは別個に処理液貯留室11に形成してもよい。
【００２７】
そして、処理液供給部９は、処理液供給源14から供給される処理液を処理液貯留室11に一時的に貯留し、処理液貯留室11において貯留した処理液にウエハＷの周縁部を浸漬させることでウエハＷの周縁部を処理液で処理することができ、吸引機18によって処理液を処理液貯留室11から排出することができるようになっているまた、処理液供給部９は、リンス液供給源15から供給されるリンス液を処理液貯留室11に一時的に貯留し、処理液貯留室11において貯留したリンス液にウエハＷの周縁部を浸漬させることでウエハＷの周縁部をリンス処理することもでき、吸引機18によってリンス液を処理液貯留室11から排出することもできるようになっている。さらに、処理液供給部９は、乾燥ガス供給源16から供給されるガスで処理液貯留室11を乾燥させることができるようになっており、これにより、処理液やリンス液を満たした処理液供給部９を良好に乾燥させることができ、新規な処理液に処理後の処理液やリンス液が混入して処理能力が低下するのを防止することができるようになっている。
【００２８】
一方、ガス噴出部10は、処理液貯留室11よりも狭い上下幅のスリット８にガスを噴出するガス噴出口19と噴出したガスを吸引するガス吸引口20とを交互に格子点上に上下にそれぞれ形成し、ガス噴出口19にガス供給源21を圧力制御弁24を介して連通連結するとともに、ガス吸引口20に吸引機22を圧力制御弁25を介して連通連結している。
【００２９】
そして、ガス噴出部10は、ガス供給源21から供給されるガスをガス噴出口19からウエハＷの表面（上面及び下面）に向けて噴出することができ、噴出したガスを吸引機22によってガス吸引口20から外部に排出することができるようになっている。
【００３０】
なお、基板処理装置１は、図６に示すように、ウエハＷの周縁に複数個（ここでは、２個）の周縁処理装置4,4を配置した構成とすることもでき、また、周縁処理装置４の処理ヘッド６を上下に自由に可動可能に構成するとともに、ガス噴出部10のガス噴出口19からウエハＷの上面及び下面に向けてガスを噴出して、噴出したガスの圧力によってウエハＷとスリット８との間隔を一定に保持するようにしてもよい。
【００３１】
基板処理装置１は、以上に説明したように構成しており、以下に説明するようにしてウエハＷの周縁部を処理するようにしている。
【００３２】
まず、基板処理装置１は、基板保持装置３の上部の所定位置にウエハＷを載置し、基板保持装置３でウエハＷを吸引保持する。
【００３３】
次に、基板処理装置１は、周縁処理装置４の進退機構５によって処理ヘッド６をウエハＷに向けて所定位置まで前進させ、ウエハＷとの間にわずかな間隙を形成した状態でスリット８にウエハＷを挿通させる。
【００３４】
次に、基板処理装置１は、基板保持装置３でウエハＷを回転させ、処理液供給部９の処理液貯留室11に処理液供給源14から処理液を供給し、ガス噴出部10のガス噴出口19からガスを噴出するとともにガス吸引口20からガスを吸引する。そして、基板処理装置１では、処理液供給部９よりもウエハＷの周縁部に対して内側に隣設したガス噴出部10によってウエハＷの表面に向けてガスを噴出することで、噴出するガスの圧力でウエハＷの周縁部近傍を押圧して、ウエハＷとスリット８との間隙を確保しながらウエハＷの周縁部近傍の反りを矯正し、ウエハＷの周縁部を平坦な状態にして処理液貯留室11に浸漬してウエハＷの周縁部の所定範囲を精度良く処理できるようにしている。
【００３５】
このときに、図５に示すように、処理液は、処理液供給部９において、処理液供給口12から供給され、処理液貯留室11に一時的に貯留し、処理液排出口13からオーバーフローして排出される。ここで、処理液貯留室11に供給された処理液は、周縁処理装置４とウエハＷとの相対的な回転により作用する遠心力や処理液供給部９よりもガス噴出部10の上下幅が狭いことにより作用する表面張力によって、ガス噴出部10への浸入が阻害され、処理液貯留室11に一時的に貯留することになる。これにより、基板処理装置１では、処理液貯留室11に貯留した処理液にウエハＷの周縁部が浸漬し、ウエハＷの周縁部の所定範囲だけを処理液で処理することができる。一方、ガスは、ガス噴出部10において、ガス噴出口19からウエハＷの表面に吹き付けられ、ウエハＷとスリット８との間隙に沿って流れ、ガス吸引口20から外部に吸引される。
【００３６】
また、基板処理装置１では、処理液供給部９よりもウエハＷの周縁部に対して内側にガス噴出部10を隣設しているために、ガス噴出口19から噴出されるガスの圧力によって処理液貯留室11に貯留した処理液がウエハＷの内側に向けて流れ出るのを防止する効果もある。また、上下幅の異なる処理液貯留室11とスリット８との境界部分に形成されたエッジ部23に処理液とガスとの境界が形成されるために、基板処理装置１では、進退機構５で処理ヘッド６を進出又は後退させることで、処理液で処理するウエハＷの周縁部の範囲を調節することができるようにしている。なお、基板処理装置１では、処理液供給部９の表面を親水性素材で形成して処理液供給部９に処理液を満たしやすくする一方、ガス噴出部10を撥水性素材で形成して処理液供給部９から処理液がガス噴出部10に流れ出るのを阻害している。
【００３７】
次に、基板処理装置１は、吸引機18で処理液貯留室11に貯留した処理液を強制的に排出し、切替バルブ17で流路を切替えて処理液供給源14からの処理液の供給を停止するとともにリンス液供給源15からリンス液を処理液貯留室11に供給し、リンス液でウエハＷの周縁部の所定範囲をリンス処理する。このときも、上述した処理液での処理と同様に、ガス噴出部10から噴出されるガスの作用でウエハＷの周縁部の所定範囲を精度良くリンス処理することができる。
【００３８】
次に、基板処理装置１は、吸引機18で処理液貯留室11に貯留したリンス液を強制的に排出し、切替バルブ17によってリンス液供給源15からのリンス液の供給を停止し、進退機構５によって処理ヘッド６をウエハ２から離れた位置まで後退させ、ウエハＷの回転によりウエハＷの周縁部を乾燥させるとともに、切替バルブ17によって乾燥ガス供給源16から乾燥ガスを処理液貯留室11に供給して、乾燥ガスで処理液貯留室11の内部を乾燥させる。
【００３９】
以上に説明したように、ウエハＷの周縁部に対してエッチング又は洗浄などの処理を行う上記基板処理装置１では、ウエハＷの周縁部を処理するための周縁処理装置４と、周縁処理装置４に対して相対的に回転するウエハＷを保持するための基板保持装置３とを設けるとともに、周縁処理装置４に、ウエハＷの周縁部に処理液を供給する処理液供給部９と、ウエハＷに向けてガスを噴出するガス噴出部10とを形成し、しかも、ガス噴出部10を処理液供給部９よりもウエハＷの内側に隣設した構成としている。
【００４０】
そして、上記構成の基板処理装置１では、周縁処理装置４をウエハＷに対して相対的に回転させ、処理液供給部９からウエハＷの周縁部に処理液を供給するとともに、処理液供給部９よりもウエハＷの内側に隣設したガス噴出部10からウエハＷに向けてガスを噴出して、ウエハＷの周縁部の処理を行うようにしている。
【００４１】
そのため、上記構成の基板処理装置１では、処理液供給部９よりもウエハＷの内側に隣設したガス噴出部10から噴出するガスによって、ウエハＷの反りを矯正してウエハＷの周縁部近傍を平坦に位置精度良く保持することができ、これによって、ウエハＷの周縁部の所定範囲を精度良く処理することができる。
【００４２】
しかも、上記構成の基板処理装置１では、貯留した処理液にウエハＷを浸漬させるための処理液貯留室11を回転方向に沿って伸延させた状態で形成しているために、処理液貯留室11に貯留した処理液にウエハＷの周縁部を浸漬させた状態でウエハＷの周縁部を処理することができるので、ウエハＷの周縁部に処理液を確実に接触させることができ、ウエハＷの周縁部の処理を良好に行うことができる。
【００４３】
特に、上記構成の基板処理装置１では、処理液貯留室11をウエハＷの周縁部に沿って円弧状に形成しているために、処理液貯留室11に貯留した処理液にウエハＷの周縁部を均一に浸漬させることができ、ウエハＷの周縁部を均一に処理することができる。
【００４４】
また、上記構成の基板処理装置１では、処理液貯留室11の回転方向上流側に処理液を供給する処理液供給口12を形成するとともに、処理液貯留室11の回転方向下流側に処理液を排出する処理液排出口13を形成しているために、新規な処理液を上流側から供給するとともに処理済の処理液を下流側から排出することができ、処理液を円滑に流動させることができるので、処理するウエハＷの周縁部に常に新規な処理液を供給することができて、ウエハＷの周縁部の処理を良好に行うことができる。
【００４５】
また、上記構成の基板処理装置１では、処理液供給部９に処理液を供給する処理液供給口12と処理液供給部９から処理液を排出する処理液排出口13とをウエハＷを挟んで反対側にそれぞれ形成した場合には、新規な処理液をウエハＷの一方側（図５では、ウエハＷの上面側）から供給するとともに処理済の処理液をウエハＷの他方側（図５では、ウエハＷの下面側）から排出することができ、処理液を円滑に流動させることができ、処理するウエハＷの周縁部に常に新規な処理液を供給することができて、ウエハＷの周縁部の処理を良好に行うことができる。
【００４６】
また、上記基板処理装置１では、処理液供給部９に処理液を供給する処理液供給口12をウエハＷの端部よりも外側に形成しているために、処理液供給口12から供給した処理液が直接的にウエハＷの表面に供給されず、これにより、処理液がウエハＷの表面で飛散してしまうのを防止することができる。
【００４７】
また、上記基板処理装置１では、処理液供給部９から処理液を排出する処理液排出口13をウエハＷの端部よりも内側に形成した場合には、ウエハＷの周縁部に処理液を円滑に流動させることができ、これによっても、処理するウエハＷの周縁部に常に新規な処理液を供給することができて、ウエハＷの周縁部の処理を良好に行うことができる。
【００４８】
また、上記構成の基板処理装置１では、処理液供給部９にリンス液を供給可能に構成しているために、処理液での処理を行った後にリンス液でのリンス処理を続けて行うことができ、リンス液によるリンス処理においても処理液と同様に所定範囲を精度良く良好に処理することができる。
【００４９】
また、上記構成の基板処理装置１では、ガス噴出部10で噴出したガスを吸引可能に構成しているために、噴出したガスをウエハＷの中央部まで拡散させることなく回収することができるとともに、ガスを噴出する圧力を吸引力で微調整して、ウエハＷの周縁を位置精度良く、また、平坦に保持することができる。
【００５０】
また、上記構成の基板処理装置１では、ガス噴出部10をウエハＷを挟んで反対側にそれぞれ形成しているために、それぞれのガス噴出部10でのガスを噴出する圧力を調整することができ、ウエハＷとスリット８との間隙を確保することができるとともに、ウエハＷの周縁を平坦に保持することができる。
【００５１】
さらに、上記構成の基板処理装置１では、周縁処理装置４をウエハＷの内側に向けて相対的に移動可能に構成しているために、周縁処理装置４を進退移動させることで、周縁処理装置４で処理するウエハＷの周縁部の範囲を容易に調整することができる。
【図面の簡単な説明】
【００５２】
【図１】基板処理装置を示す平面図。
【図２】同側面図。
【図３】周縁処理装置を示す平面図。
【図４】同断面側面図。
【図５】周縁処理装置での処理方法を示す説明図。
【図６】複数個の周縁処理装置を有する基板処理装置を示す平面図。
【符号の説明】
【００５３】
１  基板処理装置                        ２  ケーシング
３  基板保持装置                        ４  周縁処理装置
５  進退機構                            ６  処理ヘッド
７  ケーシング                          ８  スリット
９  処理液供給部                        10  ガス噴出部
11  処理液貯留室                        12  処理液供給口
13  処理液排出口                        14  処理液供給源
15  リンス液供給源                      16  乾燥ガス供給源
17  切替バルブ                          18  吸引機
19  ガス噴出口                          20  ガス吸引口
21  ガス供給源                          22  吸引機
23  エッジ部                            24,25  圧力調整弁
Ｍ  モーター                            Ｔ  ターンテーブル
Ｗ  ウエハ
【図１】
2008300453.tif 000003
【図２】
2008300453.tif 000004
【図３】
2008300453.tif 000005
【図４】
2008300453.tif 000006
【図５】
2008300453.tif 000007
【図６】
2008300453.tif 000008